(57)【要約】【課題】テレビジョン放送情報を受信するチューナの消費電力を削減することができ、かつ受信チューナにより受信される電子番組表を利用することができる情報処理装置および情報処理方法を提供する。【解決手段】本発明に係る情報処理装置の一例としてのパーソナルコンピュータ１０は、チューナ２２、給電部３０、主制御部３２、などを有する。主制御部３２は、チューナ２２のデバイスドライバプログラムおよびこのドライバプログラムの実行のために必要なデータをＲＡＭへロードし、このドライバプログラムに従って、チューナ２２に対する利用要求がない場合に限りチューナ２２を間欠的に動作させることによりチューナ２２の消費電力を削減するとともにチューナ２２により受信される電子番組表を利用可能とする処理を実行する。【選択図】  図２
2010130417.tif 000002
【特許請求の範囲】
【請求項１】
第１の電力で駆動されてテレビジョン放送情報を受信するチューナと、
前記チューナが前記テレビジョン放送情報を受信しているとき前記テレビジョン放送情報に含まれる電子番組表情報を取得する番組表取得部と、
前記チューナに対する利用要求がないと、前記チューナを前記第１の電力より少ない第２の電力で駆動するよう制御する給電制御部と、
経過時間を計時するタイマに対し、前記チューナの駆動電力が前記第２の電力に移行すると計時を開始し、第１の所定の時間経過すると第１のタイムアウト信号を出力するよう制御するタイマ制御部と、
を備え、
前記給電制御部は、
前記第１のタイムアウト信号を受信すると前記チューナを前記第１の電力で駆動し、前記チューナにより前記電子番組表情報が取得されると再び前記チューナを前記第２の電力で駆動するよう制御することを特徴とする情報処理装置。
【請求項２】
前記チューナが受信した前記テレビジョン放送情報に前記電子番組表情報が含まれているか否かを判定する番組表判定部、
をさらに備え、
前記給電制御部は、
前記第１のタイムアウト信号を受信すると前記チューナを前記第１の電力で駆動するとともに、前記番組表判定部により前記チューナが受信した前記テレビジョン放送情報に前記電子番組表情報が含まれていると判定され前記電子番組表情報が取得されると再び前記チューナを前記第２の電力で駆動するよう制御する、
請求項１記載の情報処理装置。
【請求項３】
前記タイマ制御部は、
前記タイマに対し、前記第１のタイムアウト信号を出力すると計時をリセットして再度計時を開始し、第２の所定の時間経過すると第２のタイムアウト信号を出力するよう制御し、
前記給電制御部は、
前記第１のタイムアウト信号を受信すると前記チューナを前記第１の電力で駆動するとともに、前記番組表判定部により前記チューナが受信した前記テレビジョン放送情報に前記電子番組表情報が含まれていないと判定され、かつ前記第２のタイムアウト信号を受信すると、再び前記チューナを前記第２の電力で駆動するよう制御する、
請求項２記載の情報処理装置。
【請求項４】
前記チューナに対する利用要求があるか否かを判定する利用状況判定部、
をさらに備え、
前記給電制御部は、
前記利用状況判定部により前記チューナに対する利用要求がないと判定されると、前記チューナを前記第１の電力より少ない第２の電力で駆動するよう制御し、
前記チューナに対する利用要求は、
放送番組に対するユーザによる視聴要求および録画予約時刻到来による録画要求を少なくとも含む、
請求項３記載の情報処理装置。
【請求項５】
前記給電制御部は、
前記利用状況判定部により前記チューナに対する利用要求があると判定され、かつ前記チューナの駆動電力が前記第２の電力であると、前記チューナを前記第１の電力で駆動するよう制御する、
請求項４記載の情報処理装置。
【請求項６】
前記番組表判定部は、
前記チューナが受信した前記テレビジョン放送情報に、現在放送中の番組の次の次以降に放送される予定の番組に関する前記電子番組表情報が含まれているか否かを判定する、
請求項５記載の情報処理装置。
【請求項７】
前記第２の電力はゼロである、
請求項１記載の情報処理装置。
【請求項８】
前記番組表取得部により取得された電子番組表情報にもとづいて生成される電子番組表を表示する表示部、
をさらに備えた請求項１記載の情報処理装置。
【請求項９】
前記テレビジョン放送情報は、デジタル放送であり、
前記チューナは、前記デジタル放送を受信し、
前記テレビジョン放送情報に含まれる電子番組表情報は、デジタル電子番組表情報である、
請求項１記載の情報処理装置。
【請求項１０】
前記テレビジョン放送情報は、アナログ放送であり、
前記チューナは、前記アナログ放送を受信し、
前記テレビジョン放送情報に含まれる電子番組表情報は、アナログ電子番組表情報である、
請求項１記載の情報処理装置。
【請求項１１】
第１の電力で駆動されたチューナによりテレビジョン放送情報が受信されるステップと、
前記チューナに対する利用要求がないと、前記チューナが前記第１の電力より少ない第２の電力で駆動されるよう制御するステップと、
前記チューナの駆動電力が前記第２の電力に移行するとタイマに計時を開始させるステップと、
前記タイマが第１の所定の時間経過したことにより第１のタイムアウト信号を出力するステップと、
前記第１のタイムアウト信号の出力を受け、前記チューナが再び前記第１の電力で駆動されるよう制御するステップと、
前記チューナにより前記テレビジョン放送情報に含まれた前記電子番組表情報が取得されると、前記チューナが再び前記第２の電力で駆動されるよう制御するステップと、
を有することを特徴とする情報処理方法。
【請求項１２】
前記チューナが受信した前記テレビジョン放送情報に前記電子番組表情報が含まれているか否かを判定するステップ、
をさらに有し、
前記チューナが再び前記第２の電力で駆動されるよう制御するステップは、
前記テレビジョン放送情報に前記電子番組表情報が含まれているか否かを判定するステップで前記電子番組表情報が含まれていると判定され、前記電子番組表情報が取得されると、前記チューナが再び前記第２の電力で駆動されるよう制御するステップである、
請求項１１記載の情報処理方法。
【請求項１３】
前記タイマに対し、前記第１のタイムアウト信号を出力すると計時をリセットして再度計時を開始させるステップと、
前記リセットから第２の所定の時間経過すると前記タイマが第２のタイムアウト信号を出力するステップと、
をさらに有し、
前記チューナが再び前記第２の電力で駆動されるよう制御するステップは、
前記テレビジョン放送情報に前記電子番組表情報が含まれているか否かを判定するステップで前記電子番組表情報が含まれていないと判定され、かつ前記第２のタイムアウト信号を受信すると、前記チューナが再び前記第２の電力で駆動されるよう制御するステップである、
請求項１２記載の情報処理方法。
【請求項１４】
前記チューナに対する利用要求があるか否かを判定するステップ、
をさらに有し、
前記チューナが前記第１の電力より少ない第２の電力で駆動されるよう制御するステップは、
前記チューナに対する利用要求があるか否かを判定するステップで前記チューナに対する利用要求がないと判定されると、前記チューナが前記第１の電力より少ない第２の電力で駆動されるよう制御するステップであり、
前記チューナに対する利用要求は、
放送番組に対するユーザによる視聴要求および録画予約時刻到来による録画要求を少なくとも含む、
請求項１３記載の情報処理方法。
【請求項１５】
前記チューナに対する利用要求があるか否かを判定するステップで前記チューナに対する利用要求があると判定され、かつ前記チューナの駆動電力が前記第２の電力であると、前記チューナが前記第１の電力で駆動されるよう制御するステップ、
をさらに有する請求項１４記載の情報処理方法。
【請求項１６】
前記テレビジョン放送情報に前記電子番組表情報が含まれているか否かを判定するステップは、
前記チューナが受信した前記テレビジョン放送情報に、現在放送中の番組の次の次以降に放送される予定の番組に関する前記電子番組表情報が含まれているか否かを判定するステップである、
請求項１５記載の情報処理方法。
【請求項１７】
前記第２の電力はゼロである、
請求項１１記載の情報処理方法。
【請求項１８】
前記番組表取得部により取得された電子番組表情報にもとづいて生成される電子番組表を表示部に表示するステップ、
をさらに有する請求項１１記載の情報処理方法。
【請求項１９】
前記テレビジョン放送情報は、デジタル放送であり、
前記チューナは、前記デジタル放送を受信し、
前記テレビジョン放送情報に含まれる電子番組表情報は、デジタル電子番組表情報である、
請求項１１記載の情報処理方法。
【請求項２０】
前記テレビジョン放送情報は、アナログ放送であり、
前記チューナは、前記アナログ放送を受信し、
前記テレビジョン放送情報に含まれる電子番組表情報は、アナログ電子番組表情報である、
請求項１１記載の情報処理方法。
【発明の詳細な説明】
【技術分野】
【０００１】
本発明は、テレビジョン放送情報を受信し電子番組表を利用する情報処理装置および情報処理方法に関する。
【背景技術】
【０００２】
最近、テレビジョン放送情報には電子番組表の情報が含まれている。そこで、テレビジョン放送情報を受信するテレビジョン受像装置やパーソナルコンピュータなどの情報処理装置には、テレビジョン放送情報に含まれる番組を視聴する機能に加え、テレビジョン放送情報に含まれる電子番組表の情報を利用して電子番組表を表示部に表示する機能を有するものが増えてきている。
【０００３】
しかし、電子番組表の情報は、一日に複数回配信されている。このため、情報処理装置は、電子番組表の情報を含むテレビジョン放送情報の取得漏れがないように、チューナに対して常時給電する必要がある。
【０００４】
従来、この種の電子番組表の情報の取得に伴う消費電力を削減する技術に、特開２００８−１１８４８７号公報（特許文献１）に記載された技術がある。
【０００５】
この特許文献１に開示された省エネ型ＡＶ装置は、地上波アナログ放送を受信し地上はアナログ放送に含まれる電子番組表の情報を装置が待機状態にあるときにのみ取得する装置であって、地上波アナログチューナと、地上波アナログチューナにて取得した信号から地上波アナログ放送の電子番組表情報を取得するアナログ電子番組表取得部と、地上波アナログ放送が停波したことを検知するとそれ以降アナログ電子番組表取得部が起動しないようにする停止部と、を備える。
【０００６】
この従来の技術によれば、地上波アナログ放送から地上波デジタル放送に移行するに伴い、地上波アナログ放送が停波された後には、不必要となったアナログ電子番組表取得部による消費電力を削減することができ、省電力化を測ることができるようになっている。
【特許文献１】特開２００８−１１８４８７号公報
【発明の開示】
【発明が解決しようとする課題】
【０００７】
しかし、従来の技術は、地上波アナログ放送が停波するまでの期間は消費電力を削減することが不可能である。また、従来の技術でチューナの消費電力を削減する場合、チューナに対する給電を遮断することになってしまうため、テレビジョン放送情報に含まれて放送される電子番組表を利用することができなくなってしまう。さらに、従来の技術は、地上波デジタル放送について考慮しておらず、地上波デジタル放送により配信される電子番組表の情報を利用する際に生じる電力を削減することはできない。
【０００８】
本発明は、上述した事情を考慮してなされたもので、テレビジョン放送情報を受信するチューナの消費電力を削減することができ、かつ受信チューナにより受信される電子番組表を利用することができる情報処理装置および情報処理方法を提供することを目的とする。
【課題を解決するための手段】
【０００９】
本発明に係る情報処理装置は、上述した課題を解決するために、第１の電力で駆動されてテレビジョン放送情報を受信するチューナと、前記チューナが前記テレビジョン放送情報を受信しているとき前記テレビジョン放送情報に含まれる電子番組表情報を取得する番組表取得部と、前記チューナに対する利用要求がないと、前記チューナを前記第１の電力より少ない第２の電力で駆動するよう制御する給電制御部と、経過時間を計時するタイマに対し、前記チューナの駆動電力が前記第２の電力に移行すると計時を開始し、第１の所定の時間経過すると第１のタイムアウト信号を出力するよう制御するタイマ制御部と、を備え、前記給電制御部は、前記第１のタイムアウト信号を受信すると前記チューナを前記第１の電力で駆動し、前記チューナにより前記電子番組表情報が取得されると再び前記チューナを前記第２の電力で駆動するよう制御することを特徴とするものである。
【００１０】
一方、本発明に係る情報処理方法は、上述した課題を解決するために、第１の電力で駆動されたチューナによりテレビジョン放送情報が受信されるステップと、前記チューナに対する利用要求がないと、前記チューナが前記第１の電力より少ない第２の電力で駆動されるよう制御するステップと、前記チューナの駆動電力が前記第２の電力に移行するとタイマに計時を開始させるステップと、前記タイマが第１の所定の時間経過したことにより第１のタイムアウト信号を出力するステップと、前記第１のタイムアウト信号の出力を受け、前記チューナが再び前記第１の電力で駆動されるよう制御するステップと、前記チューナにより前記テレビジョン放送情報に含まれた前記電子番組表情報が取得されると、前記チューナが再び前記第２の電力で駆動されるよう制御するステップと、を有することを特徴とする方法である。
【発明の効果】
【００１１】
本発明に係る情報処理装置および情報処理方法によれば、テレビジョン放送情報を受信するチューナの消費電力を削減することができ、かつチューナにより受信される電子番組表を利用することができる。
【発明を実施するための最良の形態】
【００１２】
本発明に係る情報処理装置および情報処理方法の実施の形態について、添付図面を参照して説明する。
【００１３】
図１は、本発明に係る情報処理装置の一実施形態を示す概略的な外観図である。なお、本発明は、テレビジョン放送情報を受信可能な種々の情報処理装置に適用することができる。以下、本実施形態では、本発明に係る情報処理装置として、テレビジョン放送情報としてのデジタル放送情報１を受信可能なノートブック型のパーソナルコンピュータ（以下パーソナルコンピュータという）を用いる場合の一例について示した。
【００１４】
図１に示すように、パーソナルコンピュータ１０は、コンピュータ本体１１および表示装置としてのディスプレイユニット１２を備える。
【００１５】
コンピュータ本体１１は、薄い箱形の筐体を有し、この筐体上面の中央部には、入力部１３としてのキーボードが設けられる。コンピュータ本体１１の筐体上面の手前側には、パームレストが形成される。
【００１６】
ディスプレイユニット１２は、ＬＣＤ（Liquid Crystal Display）などにより構成される表示部１４を有し、コンピュータ本体１１に対し開閉自在に支持する連結部（ヒンジ）１５を介して連結される。
【００１７】
図２は、パーソナルコンピュータ１０の内部構成例を概略的に示すブロック図である。
【００１８】
図２に示すように、パーソナルコンピュータ１０は、入力部１３、表示部１４、アンテナ２１、チューナ２２、復調部２３、ＤＥＭＵＸ２４、ＭＰＥＧ−２デコーダ２５、音声加工部２６、音声出力部２７、映像加工部２８、ネットワーク接続部２９、給電部３０、タイマ３１、主制御部３２、ＥＰＧデータ記憶部３３および録画データ記憶部３４を有する。
【００１９】
チューナ２２は、アンテナ２１を介してデジタル放送情報１を受信し、復調部２３に与える。ここで、デジタル放送情報１とは、テレビ局が放送する番組の映像データ、音声データおよびその他のデータをいうものとする。また、その他のデータには少なくとも、ＭＰＥＧ−２  ＴＳ規格にもとづく、ＰＳＩ／ＳＩ情報（Program Specific Information／Service Information）を含むものとする。
【００２０】
ＰＳＩ／ＳＩ情報には、番組情報テーブル（ＥＩＴ：Event Information Table、以下ＥＩＴという）が含まれる。ＥＩＴには、番組の情報が含まれる。この番組の情報は、１８８バイト固定長のＭＰＥＧ−２  ＴＳパケットにもとづき、セクション形式で分割されている。ＥＩＴに含まれる番組情報には、現在放送中の番組情報や、現在放送中の番組の次に放送される予定の番組の情報や、数日以上にわたる番組編成情報などが含まれる。
【００２１】
テレビ放送用の電子番組表（ＥＰＧ：Electronic Programming Guide、以下ＥＰＧという）は、このＥＩＴの情報に主にもとづいて生成される。ＥＰＧの生成に必要なデータ（ＥＰＧデータ）は、一般に、放送される番組の、カテゴリ（ジャンル名）、放送開始日時および終了日時、番組名、番組内容および出演者名などの情報を内容とする。ＥＰＧデータは、デジタル放送情報１に含まれるＥＩＴデータに含まれる。
【００２２】
復調部２３は、チューナ２２から受けたデジタル放送情報１を変調状態から復調し、ＤＥＭＵＸ２４（Demultiplex）に与える。
【００２３】
ＤＥＭＵＸ２４は、ＭＰＥＧ−２  ＴＳ形式のデータを、映像データ、音声データおよびその他のデータに分離する。また、ＤＥＭＵＸ２４は、分離した映像データおよび音声データをＭＰＥＧ−２デコーダ２５に与えるとともに、ＥＰＧを含むその他のデータを主制御部３２に与える。
【００２４】
ＭＰＥＧ−２デコーダ２５は、映像データと音声データをそれぞれＭＰＥＧ−２  ＴＳ形式をデコードし、デコードした音声データを音声加工部２６へ、デコードした映像データを映像加工部２８へ、それぞれ与える。
【００２５】
音声加工部２６は、オーディオＤＡＣ（Digital Analog Converter）やアンプなどを備えており、ＭＰＥＧ−２デコーダ２５から受けた音声データを音声出力部２７に与え、デジタル放送情報１に含まれる音声を、音声出力部２７を介して出力する。
【００２６】
映像加工部２８は、グラフィックエンジンや表示部１４の制御回路などを備えており、ＭＰＥＧ−２デコーダ２５から受けた映像データをＬＣＤやＰＤＰなどの表示部１４に与え、デジタル放送情報１に含まれる映像を、表示部１４を介して出力する。
【００２７】
ネットワーク接続部２９は、ネットワークの形態に応じた種々の情報通信用プロトコルを実装する。ネットワーク接続部２９は、この各種プロトコルに従ってパーソナルコンピュータ１０と他の電気機器とを接続する。この接続には、電子ネットワークを介した電気的な接続などを適用することができる。ここで電子ネットワークとは、電気通信技術を利用した情報通信網全般を意味し、ＬＡＮ（Local Area Network）やインターネット網のほか、電話通信回線網、光ファイバ通信ネットワーク、ケーブル通信ネットワークおよび衛星通信ネットワークなどを含む。
【００２８】
給電部３０は、図示しない商用電源から電力を供給され、チューナ２２を含むパーソナルコンピュータ１０の各種デバイスに対する給電を制御する。
【００２９】
タイマ３１は、主制御部３２により制御され、所定の時間をセットされて起動される。たとえば、タイマ３１は、第１の所定の時間をセットされて起動されると、計時開始後に第１の所定の時間が経過すると第１のタイムアウト信号を出力する。また、タイマ３１は、第２の所定の時間をセットされて起動されると、計時開始後に第２の所定の時間経過すると第２のタイムアウト信号を出力する。
【００３０】
主制御部３２は、ＣＰＵ、ＲＡＭ、ＲＯＭをはじめとする記憶媒体などにより構成され、この記憶媒体に記憶されたプログラムに従って、パーソナルコンピュータ１０の処理動作を制御する。ＣＰＵは、ＲＯＭをはじめとする記憶媒体に記憶されたチューナ２２のデバイスドライバプログラムおよびこのドライバプログラムの実行のために必要なデータをＲＡＭへロードし、このドライバプログラムに従って、デジタル放送情報１を受信するチューナ２２の消費電力を削減するとともにチューナ２２により受信される電子番組表を利用可能とする処理を実行する。
【００３１】
主制御部３２のＲＡＭは、ＣＰＵが実行するプログラムおよびデータを一時的に格納するワークエリアを提供する。
【００３２】
主制御部３２のＲＯＭをはじめとする記憶媒体は、パーソナルコンピュータ１０の起動プログラム、チューナ２２のデバイスドライバプログラムや、これらのプログラムを実行するために必要な各種データを記憶する。
【００３３】
なお、ＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００３４】
図３は、主制御部３２のＣＰＵによる機能実現部の構成例を示す概略的なブロック図である。なお、この機能実現部は、ＣＰＵを用いることなく回路などのハードウエアロジックによって構成してもよい。
【００３５】
主制御部３２のＣＰＵは、チューナ２２のデバイスドライバプログラムによって、少なくとも利用状況判定部３５、タイマ制御部４２、給電制御部４３、番組表判定部としてのＥＰＧ配信判定部４４、番組表取得部としてのＥＰＧ取得部４５およびＥＰＧ生成部４６として機能する。この各部４１〜４６は、ＲＡＭの所要のワークエリアをデータの一時的な格納場所として利用する。
【００３６】
利用状況判定部３５は、チューナ２２に対する利用要求があるか否かを判定する。ここで、チューナ２２に対する利用要求がある場合とは、放送中の番組に対して入力部１３を介してユーザが視聴要求してきた場合や、録画予約されていた時刻が到来した場合などによる録画要求がある場合など、チューナ２２が現在使用されている場合か、あるいは直ちに使用したいと要求されている場合を言う。チューナ２２に対する利用要求がある場合には、チューナ２２に対する給電は遮断しないことが好ましい。
【００３７】
タイマ制御部４２は、タイマ３１に対し、第１のタイムアウト信号を出力すると計時をリセットして再度計時を開始し、第２の所定の時間経過すると第２のタイムアウト信号を出力するよう制御する。また、タイマ制御部４２は、必要に応じてタイマ３１に計時を開始させたりタイマ３１のカウントをリセットしたりする。
【００３８】
給電制御部４３は、給電部３０を制御することによりチューナ２２に対する給電を制御する。より具体的には、給電制御部４３は、チューナ２２に対する利用要求がないと、チューナ２２を第１の電力としての通常使用時（通常モード）の電力より少ない第２の電力としての省電力モード用の電力で駆動するよう給電部３０を制御する。第２の電力としての省電力モード用の電力は、ゼロであってもよい。ただし、チューナ２２に対する給電を遮断すると、次回起動時に完全に起動するまでに時間かかる場合があることに注意する。
【００３９】
番組表判定部としてのＥＰＧ配信判定部４４は、チューナ２２が受信したデジタル放送情報１にＥＰＧデータが含まれているか否かを判定する。なお、ＥＩＴに含まれる番組情報のうち、現在放送中の番組および現在放送中の番組の次の番組については、短い時間間隔（約２秒に１回）で配信される。しかし、チューナ２２が省電力モード中の場合、チューナ２２に対する利用要求がないことからあまり直近のＥＰＧデータは必要とされないといえる。このため、ＥＰＧ配信判定部４４は、現在放送中の次の次以降に放送される予定の番組のみについて、デジタル放送情報１にＥＰＧデータが含まれているか否かを判定するようにしてもよい。
【００４０】
番組表取得部としてのＥＰＧ取得部４５は、チューナ２２が受信したデジタル放送情報１に含まれるＥＰＧデータをＤＥＭＵＸ２４から取得し、ＥＰＧデータ記憶部３３に記憶させる。
【００４１】
ＥＰＧ生成部４６は、ＥＰＧデータ記憶部３３に記憶されたＥＰＧデータにもとづいてテレビ放送用のＥＰＧ画像を生成し、表示部１４に表示させてユーザに提示する。ユーザは、このＥＰＧ画像を介して番組の視聴要求や録画予約要求などを行うことが可能である。
【００４２】
次に、本実施形態に係る情報処理装置の動作の一例について説明する。
【００４３】
図４は、主制御部３２のＣＰＵにより、デジタル放送情報１を受信するチューナ２２の消費電力を削減するとともにチューナ２２により受信される電子番組表を利用可能とする処理を実行する際の手順を示すフローチャートである。図４において、Ｓに数字を付した符号は、フローチャートの各ステップを示す。
【００４４】
この手順は、チューナ２２が第１の電力としての通常使用時（通常モード）の電力で駆動されている状態でスタートとなる。
【００４５】
まず、ステップＳ１において、利用状況判定部３５は、チューナ２２が現在使用されているか、あるいは直ちに使用したいと要求されているなどしてチューナ２２に対する利用要求が現在あるか否かを判定する。チューナ２２に対する利用要求がある場合は、ステップＳ１０に進む。一方、チューナ２２に対する利用要求がない場合は、ステップＳ２に進む。
【００４６】
次に、ステップＳ２において、タイマ制御部４２は、タイマ３１が起動していない場合は起動させて、タイマ３１に対し第１の所定の時間をセットして計時を開始させる。なお、タイマ３１が起動して計時中である場合は、何もせずそのまま計時を進めさせる。
【００４７】
次に、ステップＳ３において、給電制御部４３は、チューナ２２を第２の電力としての省電力モード用の電力で駆動するよう給電部３０を制御する。この結果、チューナ２２は省電力モードに移行する。
【００４８】
次に、ステップＳ４において、タイマ制御部４２は、ステップＳ２での計時開始から第１の所定の時間経過したか否かを判定する。第１の所定の時間経過した場合はステップＳ５に進む。一方、第１の所定の時間経過していない場合はステップＳ１０に進む。
【００４９】
次に、ステップＳ５において、タイマ制御部４２は、タイマ３１を制御し、これまでの計時をリセットしてから改めて第２の所定の時間をセットして計時を開始させる。
【００５０】
次に、ステップＳ６において、給電制御部４３は、チューナ２２を第１の電力としての通常使用時（通常モード）の電力で駆動するよう給電部３０を制御する。この結果、チューナ２２は通常使用時（通常モード）の電力で駆動され、速やかにデジタル放送情報１を受信し始める。
【００５１】
以上のステップＳ２からＳ６までの手順からわかるように、チューナ２２は、第１の所定の時間だけ省電力モードに移行する。第１の所定の時間が経過すると、チューナ２２は、以下のステップＳ７以降の手順で明らかになるように、ＥＰＧデータを取得すべく一時的に起動される。
【００５２】
次に、ステップＳ７において、番組表判定部としてのＥＰＧ配信判定部４４は、チューナ２２が受信したデジタル放送情報１にＥＰＧデータが含まれているか否かを判定する。このとき、ＥＰＧ配信判定部４４は、現在放送中の次の次以降に放送される予定の番組のみについてのみデジタル放送情報１にＥＰＧデータが含まれているか否かを判定するようにしてもよい。ＥＰＧデータが含まれる場合はステップＳ８に進む。一方、ＥＰＧデータが含まれない場合はステップＳ１３に進む。
【００５３】
次に、ステップＳ８において、番組表取得部としてのＥＰＧ取得部４５は、チューナ２２が受信したデジタル放送情報１に含まれるＥＰＧデータをＤＥＭＵＸ２４から取得し、ＥＰＧデータ記憶部３３に記憶させる。
【００５４】
次に、ステップＳ９において、タイマ制御部４２は、タイマ３１を終了させる。
【００５５】
次に、ステップＳ１０において、利用状況判定部３５は、ステップＳ１と同様に、チューナ２２に対する利用要求が現在あるか否かを判定する。チューナ２２に対する利用要求がある場合は、ステップＳ１１に進む。一方、チューナ２２に対する利用要求がない場合は、ステップＳ２に戻る。
【００５６】
次に、ステップＳ１１において、主制御部３２は、チューナ２２に対する利用要求を受けて、この利用要求に応じた処理を実行し、一連の手順は終了となる。
【００５７】
他方、ステップＳ１２において、タイマ制御部４２は、ステップＳ５での計時開始から第２の所定の時間経過したか否かを判定する。第２の所定の時間経過した場合はステップＳ９に進む。一方、第１の所定の時間経過していない場合はステップＳ１３に進む。
【００５８】
第２の所定の時間は、チューナ２２がＥＰＧデータを取得すべく一時的に起動される際の起動時間である。この第２の所定の時間は、この時間だけ経過してもＥＰＧデータが取得できいのだから現在有意なＥＰＧデータは配信されていないと考えてもよい長さの時間とするとよい。この第２の所定の時間が不必要に長すぎる（数時間など）と省電力に悪影響がある一方、短すぎる（一秒間など）とＥＰＧデータを取得困難となってしまうことに注意すべきである。
【００５９】
次に、ステップＳ１３において、利用状況判定部３５は、ステップＳ１およびＳ１０と同様に、チューナ２２に対する利用要求が現在あるか否かを判定する。チューナ２２に対する利用要求がある場合は、ステップＳ１１に進む。一方、チューナ２２に対する利用要求がない場合は、ステップＳ７に戻る。
【００６０】
以上の手順により、デジタル放送情報１を受信するチューナ２２の消費電力を削減するとともにチューナ２２により受信される電子番組表を利用可能とする処理を実行することができる。
【００６１】
従来の技術を適用したパーソナルコンピュータ１０は、チューナ２２の消費電力を低下させるためにチューナ２２を省電力モードで駆動するまたはチューナ２２の電源を切ると、ＥＰＧデータ完全に失ってしまう場合があった。また、ＥＰＧデータを更新するためには、チューナ２２の電源を落とすわけには行かず、結局チューナ２２に対する利用要求がない期間にもチューナ２２は通常使用時の電力で駆動されたままとしておく必要があった。
【００６２】
一方、本実施形態に係るパーソナルコンピュータ１０は、チューナ２２に対する利用要求がない場合に限り、チューナ２２を間欠的に動作させる。このため、チューナ２２に対する利用要求がない期間におけるチューナ２２の消費電力を削減でき、かつ、ＥＰＧデータをしっかりと取得することができる。したがって、本実施形態に係るパーソナルコンピュータ１０は、低消費電力であるとともに非常に利便性が高いものである。
【００６３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００６４】
たとえば、本実施形態では本発明に係る情報処理装置としてデジタル放送情報１１を受信可能なパーソナルコンピュータ１０を用いる場合の例について示したが、テレビジョン放送情報はアナログ放送情報であってもよく、ＥＰＧはアナログＥＰＧであってもよい。
【００６５】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【図面の簡単な説明】
【００６６】
【図１】本発明に係る情報処理装置の一実施形態を示す概略的な外観図。
【図２】パーソナルコンピュータの内部構成例を概略的に示すブロック図。
【図３】主制御部のＣＰＵによる機能実現部の構成例を示す概略的なブロック図。
【図４】主制御部のＣＰＵにより、デジタル放送情報を受信するチューナの消費電力を削減するとともにチューナにより受信される電子番組表を利用可能とする処理を実行する際の手順を示すフローチャート。
【符号の説明】
【００６７】
１  デジタル放送情報
１０  パーソナルコンピュータ
１１  コンピュータ本体
１２  ディスプレイユニット
１３  入力部
１４  表示部
１５  連結部
２１  アンテナ
２２  チューナ
２３  復調部
２４  ＤＥＭＵＸ
２５  ＭＰＥＧ−２デコーダ
２６  音声加工部
２７  音声出力部
２８  映像加工部
２９  ネットワーク接続部
３０  給電部
３１  タイマ
３２  主制御部
３３  ＥＰＧデータ記憶部
３４  録画データ記憶部
４１  利用状況判定部
４２  タイマ制御部
４３  給電制御部
４４  ＥＰＧ配信判定部（番組表判定部）
４５  ＥＰＧ取得部（番組表取得部）
４６  ＥＰＧ生成部
【図１】
2010130417.tif 000003
【図２】
2010130417.tif 000004
【図３】
2010130417.tif 000005
【図４】
2010130417.tif 000006